(57)【要約】      （修正有）【課題】温風送風範囲を有効に拡大させることができ、また、手提げ部の耐久性を向上させることができるとともに、見栄えもよくなる広範囲電気暖房機を提供する。【解決手段】吸気口及び排気口が設けられる筐体１と、筐体１の内部に設けられる送風機２、ＰＴＣ発熱体３及び制御モジュールとを備え、制御モジュールは、送風機２と、ＰＴＣ発熱体３とにそれぞれ電気接続され、広範囲電気暖房機は、筐体１の下に設けられるベース４と、ベース４に設けられ筐体１を回転駆動するためのモータ５とをさらに備え、筐体１の片側には、手提げのための取っ手溝１３がさらに設けられている。広範囲電気暖房機は、筐体１内に設けられるサーモスイッチ及び温度ヒューズと、排気口を覆うガード６とをさらに備え、ベース４の下には滑り止め支脚４１が設けられている。【選択図】図１
0003216440.tif 000002
【実用新案登録請求の範囲】
【請求項１】
吸気口（１１）及び排気口（１２）が設けられる筐体（１）と、前記筐体（１）の内部に設けられる送風機（２）、ＰＴＣ発熱体（３）及び制御モジュールとを備え、前記制御モジュールは、前記送風機（２）と、前記ＰＴＣ発熱体(３)とにそれぞれ電気接続されている広範囲電気暖房機であって、
前記広範囲電気暖房機は、前記筐体（１）の下に設けられるベース（４）と、前記ベース（４）に設けられ筐体（１）を回転駆動するためのモータ（５）とをさらに備え、
前記筐体（１）の片側には、手提げのための取っ手溝（１３）がさらに設けられ、
前記ＰＴＣ発熱体（３）は、格子状に形成され、
前記広範囲電気暖房機は、前記筐体（１）内に設けられる温度調整器と、排気口を覆うガード（６）とをさらに備え、
前記温度調整器は、制御モジュールに電気接続され、前記ベース（４）の下には滑り止め支脚（４１）が設けられている
ことを特徴とする広範囲電気暖房機。
【請求項２】
前記ベース（４）に着脱可能に取り付けられる昇降サポートをさらに備えることを特徴とする請求項１に記載の広範囲電気暖房機。
【請求項３】
前記筐体（１）に設けられ、制御モジュールに電気接続されるＬＥＤランプをさらに備えることを特徴とする請求項２に記載の広範囲電気暖房機。
【請求項４】
前記筐体（１）内には、制御モジュールに電気接続される倒れ防止スイッチがさらに設けられていることを特徴とする請求項３に記載の広範囲電気暖房機。
【請求項５】
前記筐体（１）は、ＡＢＳ難燃性材料からなることを特徴とする請求項４に記載の広範囲電気暖房機。
【考案の詳細な説明】
【技術分野】
【０００１】
本考案は、電気暖房機分野に属し、特に広範囲電気暖房機に関する。
【背景技術】
【０００２】
電気暖房機は、住宅、オフィス、ホテル、デパート、病院、学校、電車車両等における移動可能な暖房機として、また、簡易住宅等の各種民用及び公共の建物に幅広く用いられている。また、電気暖房機は、放射及び対流の機能を有し、通常、内部に高効果アルミニウム合金放熱フィンを備えている。そのため、放射能力が強く、放射面積が広く、冬場の暖房機として大いに役立っている。
【０００３】
しかしながら、現在市販されている電気暖房機は、その排気口がいずれもボディーの片側に設けられているので、使用時、特定の方向にしか温風を送風できず、温風の送風範囲が狭くなっている。温風の送風範囲を拡大させるために、従来の温風機は、排気口が設けられるヘッドに揺動部材を追加して設けている。このため、ヘッドを水平方向の一定の角度範囲内を往復して揺動させることができるので、温風の送風範囲を拡大することができる。しかし、このような温風機は、揺動部材の構成が複雑であり、生産コストが高い。そして、揺動部材の構成の制限により、通常、揺動範囲が９０度以下であるため、やはり温風送風範囲に対する制限が存在する。また、吸気口が通常格子状に形成されているので、吸気効果が悪く、暖房効果が理想的ではない。また、従来の移動可能な電気暖房機は、その移動のために、通常、電気暖房機にハンドルを回転接続可能に構成されているが、回転接続されたハンドルの回転により摩耗が起こりやすく、耐久性が悪く、見栄えも悪くなる。
【考案の概要】
【考案が解決しようとする課題】
【０００４】
本考案は、従来技術の上記の欠陥を鑑みて、従来技術における電気暖房機の温風送風範囲が狭く、暖房効果が理想的ではないという問題を解決できる広範囲電気暖房機を提供することを課題とする。
【課題を解決するための手段】
【０００５】
上記の技術問題を解決するために、本考案は、以下の技術案を提供する。広範囲電気暖房機は、吸気口及び排気口が設けられる筐体と、筐体の内部に設けられる送風機、ＰＴＣ発熱体及び制御モジュールとを備え、前記制御モジュールは、送風機と、ＰＴＣ発熱体とにそれぞれ電気接続され、前記広範囲電気暖房機は、筐体の下に設けられるベースと、ベースに設けられ筐体を回転駆動するためのモータとをさらに備え、前記筐体の片側には、手提げのための取っ手溝がさらに設けられ、前記ＰＴＣ発熱体は格子状に形成され、前記広範囲電気暖房機は、筐体内に設けられる温度調整器と、排気口を覆うガードとをさらに備え、前記温度調整器は、制御モジュールに電気接続され、前記ベースの下には滑り止め支脚が設けられている。
【０００６】
本考案の更なる好ましい案は、前記広範囲電気暖房機が、ベースに着脱可能に取り付けられる昇降サポートをさらに備える。
【０００７】
本考案の更なる好ましい案は、前記広範囲電気暖房機が、筐体に設けられ、制御モジュールに電気接続されるＬＥＤランプをさらに備える。
【０００８】
本考案の更なる好ましい案は、前記筐体内には、制御モジュールに電気接続される倒れ防止スイッチがさらに設けられている。
【０００９】
本考案の更なる好ましい案は、前記筐体が、ＡＢＳ難燃性材料からなる。
【考案の効果】
【００１０】
本考案の有益な効果は以下のようになる。
電気暖房機の筐体の下にベースを設け、ベースに筐体を回転駆動するモータを設けることによって、温風送風範囲を有効に拡大させることができる。また、筐体に手提げのための取っ手溝が更に設けられているので、手提げ部の耐久性を向上させることができるとともに、見栄えもよくなる。
【００１１】
以下、図面及び実施例を参照しながら本発明をより詳しく説明する。
【図面の簡単な説明】
【００１２】
【図１】本考案の実施例における広範囲電気暖房機の断面図である。
【図２】本考案の実施例におけるガードが設けられていない広範囲電気暖房機の斜視図である。
【図３】本考案の実施例における広範囲電気暖房機の斜視図である。
【図４】本考案の実施例における広範囲電気暖房機の別の斜視図である。
【考案を実施するための形態】
【００１３】
図面を参照しながら本考案の好ましい実施例を詳しく説明する。
【００１４】
図１〜図４に示すように、本実施例の広範囲電気暖房機は、吸気口１１及び排気口１２が設けられる筐体１と、筐体１の内部に設けられる送風機２、ＰＴＣ発熱体３及び制御モジュールとを備えている。制御モジュールは、送風機２と、ＰＴＣ発熱体３とにそれぞれ電気接続されている。広範囲電気暖房機は、筐体１の下に設けられるベース４と、ベース４に設けられ筐体１を回転駆動するためのモータ５とをさらに備えている。筐体１の片側には、手提げのための取っ手溝１３がさらに設けられ、ＰＴＣ発熱体３は、格子状に形成されている。広範囲電気暖房機は、筐体１内に設けられる温度調整器と、排気口を覆うガード６とをさらに備えている。温度調整器は制御モジュールに電気接続され、ベース４の下には滑り止め支脚４１が設けられている。電気暖房機の筐体１の下にベース４を設け、ベース４に筐体１を回転駆動するモータ５を設けることによって、温風送風範囲を有効に拡大させることができる。また、筐体１に手提げのための取っ手溝１３が更に設けられているので、手提げ部の耐久性を向上させることができるとともに、見栄えもよくなる。ＰＴＣ発熱体３を格子状に形成させることによって、発熱効果を有効に向上させることができるとともに、吹き出された温風がより均一になり、暖房効果を向上させることができる。また、吸気口１１が丸み付けのグリッド状に形成されるので、異物が筐体１に浸入し送風機２が壊れるのを防止できるとともに、通気抵抗及びノイズを有効に減少させることができる。ベース４の下に滑り止め支脚４１が設けられている。ベース４の下に複数の滑り止め支脚４１を設けることによって、筐体１の滑りを有効に防止することができる。
【００１５】
更に、温度調整器は、サーモスイッチ及び温度ヒューズを備えている。サーモスイッチ及び温度ヒューズの二重監視によって、発熱体の温度が高すぎるときに遮断保護ができるので、より安全に使用できる。筐体１はＡＢＳ（ａｃｒｙｌｏｎｉｔｒｉｌｅ  ｂｕｔａｄｉｅｎｅ  ｓｔｙｒｅｎｅ）のような難燃性材料からなる。ＡＢＳ難燃性材料は、ＡＢＳ樹脂とも称され、五大合成樹脂の１つである。その耐衝撃性、耐熱性、耐低温性、耐化学性及び電気性能に優れ、そして加工が容易であり、製品寸法が安定しており、表面光沢性に優れるという特徴を有する。ＡＢＳ難燃性材料を用いて筐体１を作成すると、筐体１の難燃性がＶ０に達することができ、炎の発生を防止できるので、より安全に使用できる。筐体１内には、制御モジュールに電気接続された倒れ防止スイッチが更に設けられている。倒れ防止スイッチは、縦型の電気製品が傾斜したときに作動をオフにする一般的なスイッチである。電気製品の傾斜角度が大き過ぎる時、又は傾倒した時、倒れ防止スイッチが自動で切断し、電気製品の作動を停止させる。倒れ防止スイッチの追加により、電気暖房機の傾倒による火災等の発生を有効に防止することができる。
【００１６】
更に、図１〜図４に示すように、広範囲電気暖房機は、ベース４に着脱可能に取り付けられる昇降サポートをさらに備えている。ユーザのニーズに応じて電気暖房機の高さを調整できるので、放熱効果が向上し、ユーザの体感も向上させることができる。広範囲電気暖房機は、筐体１に設けられるＬＥＤランプをさらに備え、ＬＥＤランプは制御モジュールに電気接続されている。ＬＥＤランプを追加し、電気接続させることによって、室内の温度に従ってＬＥＤランプの明るさを調整することができる。即ち、ＬＥＤランプの設定により、照明機能を実現できるし、室内の温度を表示することができるので、利用可能性を有するとともに見栄えもよくなる。
【００１７】
上記の実施例は、本考案の技術案を説明するためのものに過ぎず、なんら制限するものではないと理解すべきである。当業者は、上記実施例に記載の技術案を変更、又はその一部の技術特徴を均等に置き換えることができる。これらの変更及び置き換えは、本発明の特許請求の範囲内に属する。
【図１】
0003216440.tif 000003
【図２】
0003216440.tif 000004
【図３】
0003216440.tif 000005
【図４】
0003216440.tif 000006